(57)【要約】【課題】在室者が睡眠状態の時に建物外側の気象状態が変化しても室内環境の変化を抑制することができ、睡眠状態の時における防犯性も低下し難いシャッタ装置を提供する。【解決手段】窓開閉部材１を有する窓２と、窓開閉部材１の建物外側で開閉可能なシャッタカーテン３と、在室者の睡眠状態を検出する睡眠検出部と、建物外側の気象状態を検出する気象検出部と、シャッタカーテン３の作動を制御する制御部４と、を備え、制御部４は、窓開閉部材１が開き位置にあり、かつ、在室者の睡眠状態を検出したときは、気象検出部による検出情報に基づいてシャッタカーテン３の開き状態を制限する。【選択図】図１
2015124483.tif 000002
【特許請求の範囲】
【請求項１】
窓開閉部材を有する窓と、
前記窓開閉部材の建物外側で開閉可能なシャッタカーテンと、
在室者の睡眠状態を検出する睡眠検出部と、
建物外側の気象状態を検出する気象検出部と、
前記シャッタカーテンの作動を制御する制御部と、を備え、
前記制御部は、前記窓開閉部材が開き位置にあり、かつ、前記在室者の睡眠状態を検出したときは、前記気象検出部による検出情報に基づいて前記シャッタカーテンの開き状態を制限するように構成されているシャッタ装置。
【請求項２】
前記シャッタカーテンは、全開姿勢と全閉姿勢とのいずれかの姿勢に切り替え可能なシャッタ部材を備え、
前記制御部は、前記シャッタ部材の姿勢を切り替えて前記シャッタカーテンの開き状態を制限するように構成されている請求項１記載のシャッタ装置。
【請求項３】
前記気象検出部は、建物外側の外気温を検出可能な気温検出部を有し、
前記制御部は、前記気温検出部が所定温度未満を検出すると前記シャッタ部材を全閉状態に切り替えるように構成されている請求項２記載のシャッタ装置。
【請求項４】
前記気象検出部は、建物外側の風速を検出可能な風速検出部を有し、
前記制御部は、前記風速検出部が所定風速以上を検出すると前記シャッタ部材を全閉状態に切り替えるように構成されている請求項２記載のシャッタ装置。
【請求項５】
前記シャッタ部材の複数が開閉操作自在に連結されている請求項２〜４のいずれか１項記載のシャッタ装置。
【発明の詳細な説明】
【技術分野】
【０００１】
本発明は、シャッタ装置に関する。
【背景技術】
【０００２】
特許文献１には、窓開閉部材を有する窓と、前記窓開閉部材よりも建物外側に設けられ、前記窓開閉部材に対向する位置で開閉可能なシャッタカーテンと、前記シャッタカーテンの作動を制御する制御部とを備えたシャッタ装置が開示されている。
【０００３】
この従来のシャッタ装置が備える制御部は、窓開閉部材によって窓が開いているときの室内空間に対する防犯機能をシャッタカーテンで確保しながら、開いている窓による通風性を損なわないように、シャッタカーテンのうちの窓が開いている領域に対応する部分を開放するようにシャッタカーテンの作動を制御する。
【先行技術文献】
【特許文献】
【０００４】
【特許文献１】特開２０１０−２８１０６１号公報
【発明の概要】
【発明が解決しようとする課題】
【０００５】
上記従来のシャッタ装置では、建物外側の外気温の変化、建物外側から室内空間に吹き込む風量変化、降雨の有無などの建物外側の気象状態の変化にかかわらず、シャッタカーテンのうちの窓が開いている領域に対応する部分を開放する。
【０００６】
このため、在室者が眠っている睡眠状態の時に気象状態が変化すると、その変化に応じて室内空間の環境が変化し易い。
つまり、在室者が目を覚ましている覚醒状態の時に気象状態が変化すると、目を覚ましている在室者はその変化に応じて窓の開き量を変更することができるが、睡眠状態の時に気象状態が変化すると、眠っている在室者はその変化に対応することができず、気象状態の変化に応じて室内環境が変化し易い。
【０００７】
また、在室者が覚醒状態の時と睡眠状態の時とでは求められる防犯レベルが異なり、睡眠状態の時には覚醒状態の時よりも高い防犯レベルが求められる。
この点に関して、従来のシャッタ装置では、在室者が覚醒状態の時でも睡眠状態の時でも防犯レベルは同じであり、睡眠状態の時における防犯性が低下し易い。
【０００８】
本発明は上記実情に鑑みてなされたものであって、在室者が睡眠状態の時に建物外側の気象状態が変化しても室内空間の環境変化を抑制することができ、睡眠状態の時における防犯性も低下し難いシャッタ装置を提供することを目的とする。
【課題を解決するための手段】
【０００９】
本発明によるシャッタ装置の特徴構成は、窓開閉部材を有する窓と、前記窓開閉部材の建物外側で開閉可能なシャッタカーテンと、在室者の睡眠状態を検出する睡眠検出部と、建物外側の気象状態を検出する気象検出部と、前記シャッタカーテンの作動を制御する制御部と、を備え、前記制御部は、前記窓開閉部材が開き位置にあり、かつ、前記在室者の睡眠状態を検出したときは、前記気象検出部による検出情報に基づいて前記シャッタカーテンの開き状態を制限するように構成されている点にある。
【００１０】
本構成のシャッタ装置は、在室者の睡眠状態を検出する睡眠検出部と、建物外側の気象状態を検出する気象検出部とを備え、シャッタカーテンの作動を制御する制御部は、窓開閉部材が開き位置にあり、かつ、在室者の睡眠状態を検出したときは、気象検出部による検出情報に基づいてシャッタカーテンの開き状態を制限するように構成されている。
【００１１】
このため、窓開閉部材が開き位置にあって、在室者が窓を開けたまま眠っている睡眠状態の時には、気象状態の変化に応じた室内空間の環境変化を抑制できるように、気象検出部による検出情報に基づいてシャッタカーテンの開き状態を制限することができる。その結果、睡眠状態の時における防犯レベルも高めることができる。
【００１２】
したがって、本構成のシャッタ装置であれば、在室者が睡眠状態の時に建物外側の気象状態が変化しても室内空間の環境変化を抑制することができ、睡眠状態の時における防犯性も低下し難い。
【００１３】
本発明の他の特徴構成は、前記シャッタカーテンは、全開姿勢と全閉姿勢とのいずれかの姿勢に切り替え可能なシャッタ部材を備え、前記制御部は、前記シャッタ部材の姿勢を切り替えて前記シャッタカーテンの開き状態を制限するように構成されている点にある。
【００１４】
本構成であれば、気象検出部による検出情報に基づいて、シャッタ部材の姿勢を全開姿勢または全閉姿勢に切り替えてシャッタカーテンの開き状態を制限することができ、制御部による制御構成の簡略化を図ることができる。
【００１５】
本発明の他の特徴構成は、前記気象検出部は、建物外側の外気温を検出可能な気温検出部を有し、前記制御部は、前記気温検出部が所定温度未満を検出すると前記シャッタ部材を全閉状態に切り替えるように構成されている点にある。
【００１６】
本構成であれば、建物外側の外気温が所定温度未満のときにシャッタ部材を全閉状態に切り替えて、外気温の低下に伴う室内温度の低下を抑制することができる。
【００１７】
本発明の他の特徴構成は、前記気象検出部は、建物外側の風速を検出可能な風速検出部を有し、前記制御部は、前記風速検出部が所定風速以上を検出すると前記シャッタ部材を全閉状態に切り替えるように構成されている点にある。
【００１８】
本構成であれば、建物外側の風速が所定風速以上のときにシャッタ部材を全閉状態に切り替えて、室内空間への外気の流入を阻止することができる。
【００１９】
本発明の他の特徴構成は、前記シャッタ部材の複数が開閉操作自在に連結されている点にある。
【００２０】
本構成であれば、複数のシャッタ部材のいずれか又は全部の姿勢を、全開姿勢、全閉姿勢、中間姿勢のいずれかの姿勢に切り替えて、シャッタカーテンの開き状態を細かく制限することができる。
【図面の簡単な説明】
【００２１】
【図１】建物外側から見たシャッタ装置の正面図である。
【図２】シャッタ開閉モードが全開モードのときのシャッタ装置の断面図である。
【図３】シャッタ開閉モードが全閉モードのときのシャッタ装置の断面図である。
【図４】シャッタ開閉モードが防犯モードのときのシャッタ装置の断面図である。
【図５】制御構成を示すブロック図である。
【図６】制御動作を示すフローチャートである。
【図７】制御動作の内容を示す表である。
【図８】第２実施形態における制御動作の内容を示す表である。
【図９】第２実施形態における制御動作の内容を示す表である。
【図１０】第２実施形態における制御動作の内容を示す表である。
【発明を実施するための形態】
【００２２】
以下に本発明の実施の形態を図面に基づいて説明する。
〔第１実施形態〕
図１〜図５は、住宅などの建物において、建物外側ＡとベッドＤが設置された室内空間（建物内部）Ｂとを仕切る仕切り部分に設けられた本発明によるシャッタ装置Ｃを示す。
【００２３】
シャッタ装置Ｃは、一対の開閉用引き戸（窓開閉部材の一例）１を有する窓２と、引き戸１よりも建物外側Ａに設けられ、引き戸１の建物外側の位置で開閉可能なブラインドシャッタカーテン（以下、単にシャッタカーテンという。）３と、シャッタカーテン３の作動を制御する制御ユニット４ａとを備えている。
【００２４】
窓２は、室内空間Ｂの底部を区画する床面Ｂ１から上部を区画する天井面Ｂ２の側に亘って設けられ、引き戸１は床面Ｂ１と同じ高さ位置で水平方向に開閉操作自在に支持されている。
【００２５】
シャッタカーテン３は、窓２の全体を引き戸１よりも屋外側から覆うように繰り出されるスラット式シャッタカーテン本体３ａと、シャッタカーテン本体３ａを繰り出し自在に巻き取るドラム（図示せず）やその駆動用電動モータ（図示せず）などを備えたカーテン駆動部３ｂとを有する。
なお、シャッタカーテン本体３ａは、手動操作によってドラムに巻き取ったり、ドラムから繰り出すように設けられていてもよい。
【００２６】
シャッタカーテン本体３ａは、上下方向に並べて開閉操作自在に連結された可動式の複数枚のスラット（シャッタ部材の一例）９を有する。
各スラット９は、窓２の略全幅に亘る長さを有する横長の板状に形成され、ドラムへの巻き取り用チェーンなどに水平方向に沿う軸芯周りで各別に駆動回動可能に支持されている。
【００２７】
カーテン駆動部３ｂは、シャッタカーテン本体３ａを窓２の全体を覆うように繰り出した状態で、各スラット９の姿勢を板面が水平方向に沿う全開姿勢（図２参照）と、板面が垂直方向に沿う姿勢で引き戸１の屋外側を覆う全閉姿勢（図３参照）とのいずれかに切り替え可能なカムなどを作動させる電動モータ（図示せず）などを備えている。
シャッタカーテン本体３ａは、各スラット９の姿勢を全閉姿勢に保持してドラムに巻き取られ、また、ドラムから窓２の前面側に繰り出される。
【００２８】
制御ユニット４ａは、図５に示すように、在室者の有無を検出する在室検出部５と、窓２が開いているか否かを検出する窓開閉検出部６と、ベッドＤの上に移動している在室者の睡眠状態を検出する睡眠検出部７と、建物外側Ａの気象状態を検出する気象検出部８と、これらの検出部から入力された検出情報に基づいてシャッタカーテン３の作動を制御する制御部４とを備えている。
【００２９】
在室検出部５は、例えば天井面Ｂ２に設置した赤外線式の人検知センサ５ａによる検出信号に基づいて在室者の有無を検出し、その検出情報を制御部４に入力する。
なお、在室検出部５は、後述する睡眠検出部７を構成する荷重センサ７ａによる検出信号に基づいて、所定の大きさ以上の荷重を検出したときに「在室者有り」の検出情報を制御部４に入力するように構成してもよい。
【００３０】
窓開閉検出部６は、例えば引き戸１の現在位置を検出する窓開閉センサ６ａによる検出信号に基づいて引き戸１が開き位置にあると判定したときは「窓開き」を検出情報として制御部４に入力し、引き戸１が閉じ位置にあると判定したときは「窓閉じ」を検出情報として制御部４に入力する。
【００３１】
睡眠検出部７は、例えばベッドＤが備える４つの脚部Ｄ１の夫々と床面Ｂ１との間に装着してある複数の荷重センサ７ａによる検出信号に基づいて、ベッドＤ上の在室者の一定時間毎の体動数を演算する。そして、演算した体動数が設定回数以上のときは、在室者の目が覚めていることを示す「覚醒状態」を検出情報として制御部４に入力し、演算した体動数が設定回数未満のときは、在室者が眠っていることを示す「睡眠状態」を検出情報として制御部４に入力する。
【００３２】
気象検出部８は、建物外側Ａの外気温を検出可能な温度センサ１０ａを有する気温検出部１０と、建物外側Ａの風速を検出可能な風速センサ１１ａを有する風速検出部１１と、雨が現在降っているか否かを検出可能な降雨センサ１２ａを有する降雨検出部１２とを有する。
【００３３】
制御部４は、図７に示すように、在室者が有るときは、気温検出部１０、風速検出部１１および睡眠検出部７による検出情報に基づく「在室時制御モード」でシャッタカーテン３を作動させ、在室者が無いときは、気温検出部１０および風速検出部１１による検出情報に基づく「不在時制御モード」でシャッタカーテン３を作動させる。
【００３４】
さらに、「在室時制御モード」および「不在時制御モード」の夫々において、図２に示すようにスラット９の全部を全開姿勢に切り替える「全開モード」と、図３に示すようにスラット９の全部を全閉姿勢に切り替える「全閉モード」と、室内空間Ｂの高い防犯レベルと通風性とを確保するために、図４に示すようにスラット９の一部を全開姿勢に切り替える「防犯モード」とのいずれかのシャッタ開閉モードでシャッタカーテン３を作動させる。
【００３５】
「防犯モード」では、窓２の全体を覆っているシャッタカーテン本体３ａのスラット９のうち、人の高さ以上の高さ位置において窓２の上部領域に対向している複数枚（本実施形態では３枚）のスラット９ａの全部が全開姿勢に切り替えられ、残りのスラット９は全閉姿勢に切り替えられる。
【００３６】
本実施形態では、例えば、上方の３枚のスラット９ａを全開姿勢と全閉姿勢とに切り替える電動モータと、残りのスラット９を全開姿勢と全閉姿勢とに切り替える電動モータとを各別に設けてある。
これにより、室内空間Ｂの防犯レベルを高いレベルに維持することができ、かつ、在室者に風が直接当たらないように通風性を確保することができる。
【００３７】
制御部４は、「在室時制御モード」において窓開閉検出部６が「窓開き」を検出し、かつ、睡眠検出部７が「睡眠状態」を検出しているときに「防犯モード」に切り替えることにより、気象検出部８による検出情報に基づいてシャッタカーテン３の開き状態を、窓２の上部領域に対向している複数枚のスラット９ａの姿勢のみを全開姿勢に切り替え、残りのスラット９の姿勢を全閉姿勢に切り替える状態に制限する。
【００３８】
制御部４は、在室検出部５が「在室者無し」を検出し、かつ、窓開閉検出部６が「窓開き」を検出しているときは、外気温および風速に応じて「全開モード」、「全閉モード」または「防犯モード」に切り替えてシャッタカーテン３を作動させる。
【００３９】
制御部４は、「防犯モード」に切り替えているときに在室検出部５が「在室者有り」を検出すると、外気温および風速に応じて「防犯モード」のまま、もしくは「全開モード」に切り替えてシャッタカーテン３を作動させる。
その後、睡眠検出部７が在室者の「睡眠状態」を検出すると、外気温および風速に応じて「防犯モード」、もしくは「全閉モード」に切り替えてシャッタカーテン３を作動させる。
【００４０】
さらに、その後、外気温の低下を気温検出部１０が検出したり、風速の上昇を風速検出部１１が検出して在室者の体感温度の低下が想定される場合は、「全開モード」から「防犯モード」、もしくは「防犯モード」から「全閉モード」に切り替えてシャッタカーテン３を作動させる。
これにより、睡眠中の気象状態の変化による室内空間Ｂの冷え過ぎ（在室者の体感温度の低下）を防止して、室内空間Ｂを快適な状態に維持することができる。
【００４１】
睡眠検出部７が「覚醒状態」を検出したり、外気温の上昇を気温検出部１０が検出して在室者の体感温度の上昇が想定される場合は、そのときの外気温および風速に応じて「全閉モード」から「防犯モード」、もしくは「防犯モード」から「全開モード」に切り替えてシャッタカーテン３を作動させる。
これにより、在室者の体感温度の上昇を防止して、室内空間Ｂを快適な状態に維持することができる。
【００４２】
制御部４によるシャッタカーテン３の制御動作は所定時間毎に繰り返し実行される。
この制御動作を図６に示すフローチャートを参照しながら説明する。
制御部４は、窓２が現在開いているか否かを判定し（ステップＳ１）、窓開閉検出部６が「窓閉じ」を検出しているときは制御動作を終了し、「窓開き」を検出しているときは、現在の降雨の有無を判定する（ステップＳ２）。
【００４３】
降雨検出部１２が「降雨有り」を検出しているときは、「全閉モード」でシャッタカーテン３を作動させた後（ステップＳ３）、制御動作を終了する。
「降雨無し」を検出しているときは、在室者の有無を判定する（ステップＳ４）。
【００４４】
在室検出部５が「在室者有り」を検出しているときは、気温検出部１０および風速検出部１１の検出情報を読み込み（ステップＳ５）、気温検出部１０、風速検出部１１および睡眠検出部７の検出情報に基づく「在室時制御モード」でシャッタカーテン３を作動させた後（ステップＳ６）、制御動作を終了する。
【００４５】
ステップＳ４において在室検出部５が「在室者無し」を検出しているときは、気温検出部１０および風速検出部１１の検出情報を読み込み（ステップＳ７）、気温検出部１０および風速検出部１１の検出情報に基づく「不在時制御モード」でシャッタカーテン３を作動させた後（ステップＳ８）、制御動作を終了する。
【００４６】
図７は、「在室時制御モード」および「不在時制御モード」でのシャッタカーテン３の動作を具体的に例示している。
「在室時制御モード」でのシャッタカーテン３の作動を説明する。
【００４７】
気温検出部１０が２０℃に設定された所定温度未満を検出しているときは、風速検出部１１および睡眠検出部７の検出情報の如何にかかわらず、スラット９の全部を閉じる「全閉モード」でシャッタカーテン３を作動させる。
【００４８】
また、風速検出部１１が１０ｍ／ｓｅｃに設定された所定風速以上を検出しているときは、気温検出部１０および睡眠検出部７の検出情報の如何にかかわらず、「全閉モード」でシャッタカーテン３を作動させる。
【００４９】
気温検出部１０が２０℃以上の外気温を検出し、かつ、風速検出部１１が１０ｍ／ｓｅｃ未満の風速を検出しているときは、睡眠検出部７の検出情報に応じてシャッタカーテン３を以下のように作動させる。
【００５０】
気温検出部１０が２７℃以上の外気温を検出し、かつ、風速検出部１１が１０ｍ／ｓｅｃ未満の風速を検出しているときに、睡眠検出部７が「覚醒状態」を検出しているとスラット９の全部を開ける「全開モード」でシャッタカーテン３を作動させ、「睡眠状態」を検出していると「防犯モード」でシャッタカーテン３を作動させる。
【００５１】
気温検出部１０が２４℃以上で２７℃未満の外気温を検出し、かつ、風速検出部１１が５ｍ／ｓｅｃ以上で１０ｍ／ｓｅｃ未満の風速を検出しているときは、睡眠検出部７の検出情報の如何にかかわらず、「防犯モード」でシャッタカーテン３を作動させる。
【００５２】
気温検出部１０が２４℃以上で２７℃未満の外気温を検出し、かつ、風速検出部１１が５ｍ／ｓｅｃ未満の風速を検出しているときは、睡眠検出部７が「覚醒状態」を検出していると「全開モード」でシャッタカーテン３を作動させ、「睡眠状態」を検出していると「防犯モード」でシャッタカーテン３を作動させる。
【００５３】
気温検出部１０が２２℃以上で２４℃未満の外気温を検出し、かつ、風速検出部１１が１０ｍ／ｓｅｃ未満の風速を検出しているときは、睡眠検出部７の検出情報の如何にかかわらず、「防犯モード」でシャッタカーテン３を作動させる。
【００５４】
気温検出部１０が２０℃以上で２２℃未満の外気温を検出し、かつ、風速検出部１１が１０ｍ／ｓｅｃ未満の風速を検出しているときに、睡眠検出部７が「覚醒状態」を検出していると「防犯モード」でシャッタカーテン３を作動させ、「睡眠状態」を検出していると「全閉モード」でシャッタカーテン３を作動させる。
【００５５】
したがって、ステップＳ６において、睡眠検出部７が「睡眠状態」を検出しているときに「防犯モード」に切り替えることにより、気象検出部８による検出情報に基づいてシャッタカーテン３の開き状態が制限される。
【００５６】
次に、「不在時制御モード」でのシャッタカーテン３の作動を説明する。
気温検出部１０が２０℃以上の外気温を検出しているときに、風速検出部１１が１０ｍ／ｓｅｃ以上の風速を検出していると「全閉モード」でシャッタカーテン３を作動させ、風速検出部１１が１０ｍ／ｓｅｃ未満の風速を検出していると「防犯モード」でシャッタカーテン３を作動させる。
【００５７】
気温検出部１０が２０℃に設定された所定温度未満を検出しているときは風速検出部１１の検出情報の如何にかかわらず、「全閉モード」でシャッタカーテン３を作動させる。
【００５８】
なお、「全開モード」、「全閉モード」あるいは「防犯モード」でシャッタカーテン３を作動させる際の外気温や風速の閾値は上述のように例示した値に限定されず、在室者によって温冷感が異なる場合や、窓２とベッドＤとの位置関係によりベッドＤの上における風速が異なる場合には、それに応じて閾値を変化させてもよい。
【００５９】
また、睡眠検出部７は、ベッドＤ上の在室者が深い眠りを示す「ノンレム睡眠」の状態に有るか否かを判定し、「ノンレム睡眠」の状態に有ること判定したときに「睡眠状態」を検出情報として制御部４に入力するように構成してあってもよい。
【００６０】
この場合は、在室者が深い眠りについているときに「睡眠状態」に対応する必要な制御動作が行われるようにシャッタカーテン３を作動させることができる。
このため、シャッタカーテン３の作動に伴って騒音や振動が発生しても、在室者の睡眠を妨害するおそれが少ない。
【００６１】
〔第２実施形態〕
図８〜図１０は、本発明の別実施形態における「防犯モード」での制御部４による制御動作の内容を示す表である。
本実施形態における「防犯モード」では、シャッタカーテン本体３ａのスラット９のうち、人の高さ以上の高さ位置において窓２の上部領域に対向している複数枚（本実施形態では３枚）のスラット９ａの全部を全開姿勢又は半開姿勢又は全閉姿勢のいずれかに切り替え、残りのスラット９は全閉姿勢に維持される。
【００６２】
このために、本実施形態のシャッタ装置Ｃは、図示しないが、カーテン駆動部３ｂが、少なくとも人の高さ以上の高さ位置にある各スラット９の姿勢を、全開姿勢と全閉姿勢とに加えて、その中間の例えば水平に対して４５度の角度に切り替え可能に設けてある。
また、外気温を検出可能な温度センサ１０ａに加えて、室内温度を検出可能な温度センサを備えている。
【００６３】
そして、制御部４は、在室者の睡眠状態を検出しているときに、外気温，室内温度および建物外側の風速の検出情報に基づいて、在室者の体感温度が適正な温度範囲となるようにシャッタカーテン３の開き状態を「防犯モード」で制限するように構成されている。
【００６４】
図８は、例えば冬季などの外気温が２２℃未満のときの、「防犯モード」での室内温度と風速とに応じたシャッタカーテン３の開き状態を示す。
すなわち、外気温が２２℃未満のときは、室内温度と風速とに応じて、シャッタカーテン３を全開姿勢と全閉姿勢と半開姿勢とのいずれかに切り替える。
【００６５】
具体的には、風速が３ｍ／ｓｅｃ未満のときには、室内温度が２０℃未満では全閉姿勢に維持し、室内温度が２０℃以上で２４℃未満では半開姿勢に維持し、室内温度が２４℃以上では全開姿勢に維持する。
風速が３ｍ／ｓｅｃ以上で５ｍ／ｓｅｃ未満のときには、室内温度が２４℃未満では全閉姿勢に維持し、室内温度が２４℃以上で２６℃未満では半開姿勢に維持し、室内温度が２６℃以上では全開姿勢に維持する。
風速が５ｍ／ｓｅｃ以上のときには、室内温度が２５℃未満では全閉姿勢に維持し、室内温度が２５℃以上で２７℃未満では半開姿勢に維持し、室内温度が２７℃以上では全開姿勢に維持する。
【００６６】
図９は、例えば春季や秋季などの外気温が２２℃以上２５℃未満のときの、「防犯モード」での室内温度と風速とに応じたシャッタカーテン３の開き状態を示す。
すなわち、全閉姿勢から半開姿勢への切り替え又はその逆の切替は、室内温度と風速とに応じて行う。半開姿勢から全開姿勢への切り替え又はその逆の切替は、外気温と室内温度と風速と外気温とに応じて行う。
【００６７】
具体的には、風速が３ｍ／ｓｅｃ未満のときには、室内温度が２０℃未満では全閉姿勢に維持し、室内温度が２０℃以上で外気温未満（図９では２３℃未満）では半開姿勢に維持し、室内温度が外気温以上では全開姿勢に維持する。
風速が３ｍ／ｓｅｃ以上で５ｍ／ｓｅｃ未満のときには、室内温度が２２℃未満では全閉姿勢に維持し、室内温度が２２℃以上で外気温よりも１℃高い温度未満（図９では２４℃未満）では半開姿勢に維持し、室内温度が外気温よりも１℃高い温度以上では全開姿勢に維持する。
風速が５ｍ／ｓｅｃ以上のときには、室内温度が２４℃未満では全閉姿勢に維持し、室内温度が２４℃以上で外気温よりも３℃高い温度未満（図９では２６℃未満）では半開姿勢に維持し、室内温度が外気温よりも３℃高い温度以上では全開姿勢に維持する。
【００６８】
図８および図９に示すように、風速が高まるほど半開姿勢あるいは全開姿勢に変更する室内温度を高く設定してあるのは、体感温度の影響を考慮したものである。
即ち、シャッターカーテン３を開き操作して風を室内に導く場合、外気温度が２５℃未満であれば体温との差が比較的大きく、風による体感温度が低く感じられる。そのため、風速が５ｍ／sec 、１０ｍ／sec と強くなるに伴って、シャッターカーテン３を半開姿勢あるいは全開姿勢に変更する温度を高く設定し、快適な室内環境を形成するように構成してある。
【００６９】
図１０は、例えば夏季などの外気温が２５℃以上のときの、「防犯モード」での室内温度と風速とに応じたシャッタカーテン３の開き状態を示す。
すなわち、外気温が２５℃以上のときは、室内温度と外気温と風速とに応じて、シャッタカーテン３を全開姿勢又は全閉姿勢のいずれかに切り替える。
【００７０】
具体的には、風速が５ｍ／ｓｅｃ未満のときには、室内温度が外気温未満（図１０では２８℃未満）では全閉姿勢に維持し、室内温度が外気温以上では全開姿勢に維持する。
風速が５ｍ／ｓｅｃ以上のときには、室内温度が外気温よりも２℃低い温度未満（図１０では２６℃未満）では全閉姿勢に維持し、室内温度が外気温よりも２℃低い温度以上では全開姿勢に維持する。
つまり、風速が５ｍ／ｓｅｃ未満のときの全閉姿勢から全開姿勢への切り替え又はその逆の切替は、外気温を基準にして行い、風速が５ｍ／ｓｅｃ以上のときの全閉姿勢から全開姿勢への切り替え又はその逆の切替は、外気温よりも２℃低い温度を基準にして行う。
このような切り替えは、風速が５ｍ／ｓｅｃ未満では在室者の体感温度が低下し難く、風速が５ｍ／ｓｅｃ以上のときは体感温度が低下し易いことを考慮したものである。
したがって、夏季などの外気温が２５℃以上のときで風速が５ｍ／ｓｅｃ以上のときには、室内温度が外気温よりも２℃低い温度以上で全開姿勢に維持することにより、在室者の体感温度を早期に低下させることができる。
その他の構成は第１実施形態と同様である。
【００７１】
〔第３実施形態〕
図示しないが、シャッタ装置Ｃは、建物外側の風速を検出可能な風速センサ１１ａに加えて、ベッドＤの近くにおける風速を測定する熱線風速計などの風速センサを設けてあってもよい。
この場合は、睡眠中の在室者に当たる風の強さに基づいて体感温度を推定し、その体感温度が適正温度に保たれるように、シャッタカーテン３の開き状態を制限することができる。
【００７２】
〔第４実施形態〕
図示しないが、窓開閉部材が開き位置にあり、かつ、在室者が入力用スイッチなどで制御指令を制御部に入力したときは、在室者の「睡眠状態」の検出の有無にかかわらず、気象検出部による検出情報に基づいて「防犯モード」でシャッタカーテンの開き状態を制限するように、制御部を構成してあってもよい。
【００７３】
〔その他の実施形態〕
１．本発明によるシャッタ装置は、窓開閉部材を有する窓を建物外側と室内空間とを区画する壁の一部に備えていてもよい。
２．本発明によるシャッタ装置は、上下方向または水平方向にスライド移動自在なシャッタ部材を有するシャッタカーテンを備えていてもよい。
３．本発明によるシャッタ装置は、窓開閉部材を有する窓と、窓開閉部材よりも建物外側で開閉可能なシャッタカーテンとを備えた各種のシャッタ装置に利用可能である。
【符号の説明】
【００７４】
１  窓開閉部材
２  窓
３  シャッタカーテン
４  制御部
７  睡眠検出部
８  気象検出部
９  シャッタ部材
１０  気温検出部
１１  風速検出部
Ａ  建物外側
【図１】
2015124483.tif 000003
【図２】
2015124483.tif 000004
【図３】
2015124483.tif 000005
【図４】
2015124483.tif 000006
【図５】
2015124483.tif 000007
【図６】
2015124483.tif 000008
【図７】
2015124483.tif 000009
【図８】
2015124483.tif 000010
【図９】
2015124483.tif 000011
【図１０】
2015124483.tif 000012